【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
画像を形成する画像形成手段と、
前記画像形成手段により形成された画像を、用紙搬送路に設置されるセンサにより測定する測定手段と、
前記測定手段により測定された結果により、前記画像形成手段にて形成される画像の再現特性を補正するための補正データを生成する補正データ生成手段と、を有し、
定着プロセス安定化処理終了前に、該定着プロセス安定化処理終了後に前記補正データ生成手段により実行される補正データ生成処理を指示する指示手段と、
を有することを特徴とする画像処理装置。
【請求項２】
画像を形成する画像形成手段と、
前記画像形成手段により形成された画像を測定した結果により前記画像形成手段にて形成される画像の再現特性を補正するための補正データを生成する補正データ生成手段と、を有し、
前記画像を測定した結果は、用紙搬送路に設置されるセンサにより測定される値であるか、接続された読み取り装置から取得される値であるか判断する判断手段と、
前記判断手段により、前記画像を測定した結果が用紙搬送路に設置されるセンサにより測定される値であると判断された場合は、
定着プロセス安定化処理終了前に、該定着プロセス安定化処理終了後に前記補正データ生成手段により実行される補正データ生成処理を指示する指示手段を有することを特徴とする画像処理装置。
【請求項３】
前記判断手段により、前記画像を測定した結果が接続される別の読み取り装置から取得される値であると判断された場合は、
前記指示手段による指示をしないことを特徴とする請求項２に記載の画像処理装置。
【請求項４】
前記指示手段は、ユーザによる指示を受信するための画面を表示させる表示手段を有し、
前記判断手段により、前記画像を測定した結果が用紙搬送路に設置されるセンサにより測定される値であると判断された場合は、前記表示手段は、前記定着プロセス安定化処理終了前にユーザによる指示を受信できるように、前記表示させる画面が制御されることを特徴とする請求項２に記載の画像処理装置。
【請求項５】
前記指示手段は、定着プロセス安定化処理終了前である電源入力から前記定着プロセス安定化処理終了までのウェイト時間中に、前記定着プロセス安定化処理終了後であるウェイト時間終了後に前記補正データ生成手段により実行される補正データ生成処理を指示することを特徴とする請求項１又は２に記載の画像処理装置。
【請求項６】
画像を形成する画像形成手段と、
前記画像形成手段により形成された画像を測定する測定手段と、
予め設定された条件を満たす場合に、
前記測定手段により測定された結果により前記画像形成手段にて形成される画像の再現特性を補正するための補正データを生成する第１の補正データ生成処理と、
ユーザからの指示を受信した場合に、前記測定手段により測定された結果により前記画像形成手段にて形成される画像の再現特性を補正するための補正データを生成する第２の補正データ生成処理との実行を制御する補正データ生成手段とを有し、
前記補正データ生成手段により前記第１の補正データ生成処理を実行した後、所定時間内に前記補正データ生成手段により前記第２の補正データ生成処理が実行される場合、
前記第２の補正データ生成処理では、前記第１の補正データ生成処理で生成された特性に対して補正データ生成を行わないことを特徴とする画像処理装置。
【請求項７】
前記第１の補正データ生成処理を実行した後、所定時間内に前記第２の補正データ生成処理が実行される場合、前記第１の補正データ生成処理と前記第２の補正データ生成処理の間に他のジョブを実行しないことを特徴とする請求項６に記載の画像処理装置。
【請求項８】
画像を形成する画像形成ステップと、
前記画像形成ステップにて形成された画像を、用紙搬送路に設置されるセンサにより測定する測定ステップと、
前記測定ステップにて測定された結果により、前記画像形成ステップにて形成される画像の再現特性を補正するための補正データを生成する補正データ生成ステップと、を有し、
定着プロセス安定化処理終了前に、該定着プロセス安定化処理終了後に前記補正データ生成ステップにて実行される補正データ生成処理を指示する指示ステップを有することを特徴とする画像処理装置の制御方法。
【請求項９】
画像を形成する画像形成ステップと、
前記画像形成ステップにて形成された画像を測定した結果により前記画像形成ステップにて形成される画像の再現特性を補正するための補正データを生成する処理を実行する補正データ生成ステップと、を有し、
前記画像を測定した結果は、用紙搬送路に設置されるセンサにより測定される値であるか、接続された読み取り装置から取得される値であるか判断する判断ステップと、
前記判断ステップにて、前記画像を測定した結果が用紙搬送路に設置されるセンサにより測定される値であると判断された場合は、
定着プロセス安定化処理終了前に、該定着プロセス安定化処理終了後に前記補正データ生成ステップにて実行される補正データ生成処理を指示する指示ステップを有することを特徴とする画像処理装置の制御方法。
【請求項１０】
前記判断ステップにて、前記画像を測定した結果が接続される別の読み取り装置から取得される値であると判断された場合は、
前記指示ステップにて指示をしないことを特徴とする請求項９に記載の画像処理装置の制御方法。
【請求項１１】
前記指示ステップは、ユーザによる指示を受信するための画面を表示させる表示ステップを有し、
前記判断ステップにて、前記画像を測定した結果が用紙搬送路に設置されるセンサにより測定される値であると判断された場合は、前記表示ステップでは、前記定着プロセス安定化処理終了前にユーザによる指示を受信できるように、前記表示させる画面が制御されることを特徴とする請求項９に記載の画像処理装置の制御方法。
【請求項１２】
前記指示ステップは、定着プロセス安定化処理終了前である電源入力から前記定着プロセス安定化処理終了までのウェイト時間中に、前記定着プロセス安定化処理終了後であるウェイト時間終了後に前記補正データ生成ステップにより実行される補正データ生成処理を指示することを特徴とする請求項８又は９に記載の画像処理装置の制御方法。
【請求項１３】
画像を形成する画像形成ステップと、
前記画像形成ステップにより形成された画像を測定する測定ステップと、
予め設定された条件を満たす場合に、
前記測定ステップにて測定された結果により前記画像形成ステップにて形成される画像の再現特性を補正するための補正データ生成処理を実行する第１の補正データ生成処理と、
ユーザからの指示を受信した場合に、前記測定ステップにより測定された結果により前記画像形成ステップにて形成される画像の再現特性を補正するための補正データ生成処理を実行する第２の補正データ生成処理との実行を制御する補正データ生成ステップとを有し、
前記補正データ生成ステップにて前記第１の補正データ生成処理を実行した後、所定時間内に前記補正データ生成ステップにより前記第２の補正データ生成処理が実行される場合、
前記第２の補正データ生成処理では、前記第１の補正データ生成処理で補正された特性に対して補正を行わないことを特徴とする画像処理装置の制御方法。
【請求項１４】
前記第１の補正データ生成処理を実行した後、所定時間内に前記第２の補正データ生成処理が実行される場合、前記第１の補正データ生成処理と前記第２の補正データ生成処理の間に他のジョブを実行しないことを特徴とする請求項１３に記載の画像処理装置の制御方法。
【請求項１５】
コンピュータに請求項８乃至１４に記載の画像処理装置の制御方法を実行させるためのプログラム。
【手続補正２】
【補正対象書類名】明細書
【補正対象項目名】００１３
【補正方法】変更
【補正の内容】
【００１３】
上記課題を解決すべく、本発明の画像処理装置は、画像を形成する画像形成手段と、前記画像形成手段により形成された画像を、用紙搬送路に設置されるセンサにより測定する測定手段と、前記測定手段により測定された結果により、前記画像形成手段にて形成される画像の再現特性を補正するための補正データを生成する補正データ生成手段と、を有し、定着プロセス安定化処理終了前に、該定着プロセス安定化処理終了後に前記補正データ生成手段により実行される補正データ生成処理を指示する指示手段と、を有することを特徴とする。